(57)【要約】【課題】作業性の向上を図ることが可能なワイヤハーネスを提供する。【解決手段】ワイヤハーネス９は、導体２２の構造が棒線又はバスバーになり且つ配索経路に沿った形状保持が可能な剛性を有する第一導電路１９と、導体２４の構造が撚り線になり且つ第一導電路１９よりも低い剛性で柔軟性を有する第二導電路２０と、第一導電路１９及び第二導電路２０の接続部分になる導電路接続部２１と、ハーネス端末１３に配設されて外部の電気的接続相手との接続を行うシールドコネクタ１４とを備えて構成される。ワイヤハーネス９は、ハーネス端末１３の位置に第二導電路２０を配置する。【選択図】図２
2015201284.tif 000002
【特許請求の範囲】
【請求項１】
第一導電路と、第二導電路と、前記第一導電路及び前記第二導電路の接続部分になる導電路接続部と、一方・他方のハーネス端末のうち前記一方のハーネス端末に配設されて外部の第一の電気的接続相手との接続を行う第一の外部接続手段と、前記他方のハーネス端末に配設されて外部の第二の電気的接続相手との接続を行う第二の外部接続手段とを備え、
前記第一導電路は、導体の構造が棒線又はバスバーになり且つ配索経路に沿った形状保持が可能な剛性を有し、
前記第二導電路は、導体の構造が撚り線になり且つ前記第一導電路よりも低い剛性で柔軟性を有し、
前記第一の外部接続手段の配設先である前記一方のハーネス端末位置の導電路は、前記第二導電路になる
ことを特徴とするワイヤハーネス。
【請求項２】
請求項１に記載のワイヤハーネスにおいて、
前記第一の外部接続手段は、前記第二の外部接続手段よりも後に外部との接続を行う部分になる
ことを特徴とするワイヤハーネス。
【請求項３】
請求項２に記載のワイヤハーネスにおいて、
前記第二の外部接続手段の配設先である前記他方のハーネス端末位置の導電路は、前記第一導電路になる
ことを特徴とするワイヤハーネス。
【請求項４】
請求項１に記載のワイヤハーネスにおいて、
前記第二の外部接続手段の配設先である前記他方のハーネス端末位置の導電路も前記第二導電路になる
ことを特徴とするワイヤハーネス。
【請求項５】
請求項１、２、３又は４に記載のワイヤハーネスにおいて、
前記第一導電路及び／又は前記第二導電路の前記導体は、アルミニウム製又はアルミニウム合金製になる
ことを特徴とするワイヤハーネス。
【請求項６】
請求項１、２、３、４又は５に記載のワイヤハーネスにおいて、
当該ワイヤハーネスは、車両床下を含んで配索され、
該車両床下に配索される位置の導電路は、全部又は大半が前記第一導電路になる
ことを特徴とするワイヤハーネス。
【発明の詳細な説明】
【技術分野】
【０００１】
本発明は、ハイブリッド自動車や電気自動車に搭載される高電圧の機器間を電気的に接続するワイヤハーネス、及び／又は、一般的な自動車も含めこのような自動車に搭載される低電圧の機器間を電気的に接続するワイヤハーネスに関する。
【背景技術】
【０００２】
ハイブリッド自動車や電気自動車に搭載される高電圧の機器間を電気的に接続する従来のワイヤハーネスとしては、例えば下記特許文献１に開示されたものが知られる。ワイヤハーネスは、三本の柔軟な高圧電線と、この三本の高圧電線を一本ずつ収容して保護するための三本の外装部材とを備えて構成される。外装部材は、断面円形状の金属パイプであって、このような外装部材に高圧電線を挿通した後、高圧電線の端末にコネクタ等が取り付けられる。また、ワイヤハーネスの配索対象箇所の形状に合わせて外装部材に曲げ加工が施される。
【先行技術文献】
【特許文献】
【０００３】
【特許文献１】特開２００４−２２４１５６号公報
【発明の概要】
【発明が解決しようとする課題】
【０００４】
上記従来技術にあっては、柔軟な高圧電線を用いる構成のワイヤハーネスであることから、配索対象箇所の形状（配索経路の形状）に合わせてワイヤハーネスを作業性よく配索するためには、金属パイプにて形状保持をした上で配索する必要があった。すなわち、従来技術にあっては金属パイプが必要な構成であった。
【０００５】
本願発明者は、金属パイプを用いずに配索対象箇所の形状に合わせて形状保持をすることができないかと考えた。その結果、従来技術の高圧電線に替わる新たな導電路を採用し、この新たな導電路に形状保持機能を持たせる考えに至った。具体的には、剛性のある導電路を採用してこのような導電路に形状保持機能を持たせる考えに至った。また、本願発明者は、金属パイプを用いないことでワイヤハーネスの軽量化が図れるという考えにも至った。
【０００６】
しかしながら、上記考えは剛性を有する導電路の採用であることから、ワイヤハーネスを高電圧の機器に電気的に接続する際に作業性が悪くなってしまうという問題点を有する。
【０００７】
本発明は、上記した事情に鑑みてなされたもので、作業性の向上を図ることが可能なワイヤハーネスを提供することを課題とする。
【課題を解決するための手段】
【０００８】
上記課題を解決するためになされた請求項１に記載の本発明のワイヤハーネスは、第一導電路と、第二導電路と、前記第一導電路及び前記第二導電路の接続部分になる導電路接続部と、一方・他方のハーネス端末のうち前記一方のハーネス端末に配設されて外部の第一の電気的接続相手との接続を行う第一の外部接続手段と、前記他方のハーネス端末に配設されて外部の第二の電気的接続相手との接続を行う第二の外部接続手段とを備え、前記第一導電路は、導体の構造が棒線又はバスバーになり且つ配索経路に沿った形状保持が可能な剛性を有し、前記第二導電路は、導体の構造が撚り線になり且つ前記第一導電路よりも低い剛性で柔軟性を有し、前記第一の外部接続手段の配設先である前記一方のハーネス端末位置の導電路は、前記第二導電路になることを特徴とする。
【０００９】
このような特徴を有する本発明によれば、配索経路に沿った形状保持をすることが可能である。また、少なくとも第一の外部接続手段と外部の電気的接続相手との接続を行う際の作業性に配慮した柔軟性を確保することも可能である。この他、本発明によれば、第一の外部接続手段との電気的接続相手が振動伝達源である場合、伝達される振動を第二導電路の柔軟性で吸収させることも可能である。
【００１０】
請求項２に記載の本発明は、請求項１に記載のワイヤハーネスにおいて、前記第一の外部接続手段は、前記第二の外部接続手段よりも後に外部との接続を行う部分になることを特徴とする。
【００１１】
このような特徴を有する本発明によれば、第二の外部接続手段の側の接続を先にしておくことで、その後の第一の外部接続手段と外部の電気的接続相手との接続は上記の如く柔軟性が確保されることから、スムーズに行うことが可能である。
【００１２】
請求項３に記載の本発明は、請求項２に記載のワイヤハーネスにおいて、前記第二の外部接続手段の配設先である前記他方のハーネス端末位置の導電路は、前記第一導電路になることを特徴とする。
【００１３】
このような特徴を有する本発明によれば、先に接続を行う側の導電路を剛性のある第一導電路としても、後から接続を行う側で柔軟性が確保されることから、スムーズな作業を行うことが可能である。尚、第二の外部接続手段との電気的接続相手が振動伝達源でない場合、上記のような振動吸収をさせる必要がなくなることから、本発明の構造は有効である。
【００１４】
請求項４に記載の本発明は、請求項１に記載のワイヤハーネスにおいて、前記第二の外部接続手段の配設先である前記他方のハーネス端末位置の導電路も前記第二導電路になることを特徴とする。
【００１５】
このような特徴を有する本発明によれば、先に接続を行う側の導電路も柔軟性のある第二導電路としておくことで、こちら側も接続を行う際の作業性に配慮することが可能である。この他、本発明によれば、第二の外部接続手段との電気的接続相手も振動伝達源であれば、上記同様に伝達される振動を吸収させることが可能である。
【００１６】
請求項５に記載の本発明は、請求項１、２、３又は４に記載のワイヤハーネスにおいて、前記第一導電路及び／又は前記第二導電路の前記導体は、アルミニウム製又はアルミニウム合金製になることを特徴とする。
【００１７】
このような特徴を有する本発明によれば、軽量化を図ることが可能である。
【００１８】
請求項６に記載の本発明は、請求項１、２、３、４又は５に記載のワイヤハーネスにおいて、当該ワイヤハーネスは、車両床下を含んで配索され、該車両床下に配索される位置の導電路は、全部又は大半が前記第一導電路になることを特徴とする。
【００１９】
このような特徴を有する本発明によれば、長尺なワイヤハーネスであり、少なくとも車両床下に配索される部分を、配索経路に沿った形状に保持することが可能である。
【発明の効果】
【００２０】
請求項１に記載された本発明によれば、剛性を有する部分で予め配索経路に沿った形状に保持しておくことで、ワイヤハーネスの配索作業をスムーズに行うことができる。また、ハーネス端末が柔軟性を有することから、外部の電気的接続相手との接続作業をスムーズに行うことができる。従って、本発明によれば、作業性の向上を図ることが可能なワイヤハーネスを提供することができるという効果を奏する。
【００２１】
請求項２に記載された本発明によれば、少なくとも後から接続を行う側の柔軟性を確保することで、電気的接続相手との接続作業をスムーズに行うことができる。従って、本発明によれば、作業性の向上を図ることができるという効果を奏する。
【００２２】
請求項３に記載された本発明によれば、先に接続を行う側の導電路を剛性のある第一導電路としても、後から接続を行う側で柔軟性を確保しておけば、結果、スムーズな作業を行うことができるという効果を奏する。
【００２３】
請求項４に記載された本発明によれば、先に接続を行う側の導電路も柔軟性を確保することで、こちら側も電気的接続相手との接続作業をスムーズに行うことができる。従って、本発明によれば、作業性の向上を図ることができるという効果を奏する。本発明は、例えば電気的接続相手の搭載位置や電気的接続相手までの電気的経路が複雑であったりする場合に特に有効である。
【００２４】
請求項５に記載された本発明によれば、請求項１、２、３又は４の効果に加え次のような効果を更に奏する。すなわち、アルミニウム製又はアルミニウム合金製の導体を採用することから、軽量化されたワイヤハーネスを提供することができるという効果を奏する。
【００２５】
請求項６に記載された本発明によれば、請求項１、２、３、４又は５の効果に加え次のような効果を更に奏する。すなわち、車両床下に配索される部分の形状を予め配索経路に沿った形状に保持しておけるので、長尺なワイヤハーネスであってもその配索作業をスムーズに行うことができるという効果を奏する。
【図面の簡単な説明】
【００２６】
【図１】本発明のワイヤハーネスに係る図であり、（ａ）はワイヤハーネスの配索状態を示す模式図、（ｂ）は車両床下で配索経路に沿った形状に保持される中間部の状態を示す模式図である（実施例１）。
【図２】図１のワイヤハーネスの構成を示す模式図である（実施例１）。
【図３】図２のワイヤハーネスの断面図であり、（ａ）は図２のＡ−Ａ線断面図、（ｂ）は図２のＢ−Ｂ線断面図である（実施例１）。
【図４】図２の導電路接続部の一例（ジョイント）を示す分解斜視図である（実施例１）。
【図５】図２の導電路接続部の一例（接合）を示す分解斜視図である（実施例１）。
【図６】他の例となるワイヤハーネスの配索状態を示す模式図である（実施例２）。
【図７】図６のワイヤハーネスの断面図であり、（ａ）は図６のＣ−Ｃ線断面図、（ｂ）は図６のＤ−Ｄ線断面図である（実施例２）。
【図８】他の例となるワイヤハーネスの配索状態及び構成を示す模式図である（実施例３）。
【発明を実施するための形態】
【００２７】
ワイヤハーネスは、導体の構造が棒線又はバスバーになり且つ配索経路に沿った形状保持が可能な剛性を有する第一導電路と、導体の構造が撚り線になり且つ前記第一導電路よりも低い剛性で柔軟性を有する第二導電路と、前記第一導電路及び前記第二導電路の接続部分になる導電路接続部と、ハーネス端末に配設されて外部の電気的接続相手との接続を行う第一・第二の外部接続手段とを備え、少なくとも第一の外部接続手段の配設先であるハーネス端末位置の導電路を前記第二導電路とすることが特徴になる。
【００２８】
また、ワイヤハーネスは、前記第一導電路及び／又は前記第二導電路の前記導体をアルミニウム製又はアルミニウム合金製とすることが好ましい。さらに、ワイヤハーネスは、車両床下を含んで配索され、該車両床下に配索される位置の導電路の全部又は大半を前記第一導電路とすることが好ましい。
【実施例１】
【００２９】
以下、図面を参照しながら実施例１を説明する。図１は本発明のワイヤハーネスに係る図であり、（ａ）はワイヤハーネスの配索状態を示す模式図、（ｂ）は車両床下で配索経路に沿った形状に保持される中間部の状態を示す模式図である。また、図２は図１のワイヤハーネスの構成を示す模式図、図３は図２のワイヤハーネスの断面図であり、（ａ）は図２のＡ−Ａ線断面図、（ｂ）は図２のＢ−Ｂ線断面図、図４及び図５は図２の導電路接続部の一例を示す分解斜視図である。
【００３０】
本実施例においては、ハイブリッド自動車（電気自動車等であってもよい）に配索されるワイヤハーネスに対し本発明を採用する。
【００３１】
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよい）。
【００３２】
モータユニット３とインバータユニット４は、高圧の（高電圧用の）ワイヤハーネス８により接続される。また、バッテリー５とインバータユニット４も高圧のワイヤハーネス９により接続される。ワイヤハーネス９は、この中間部１０が車両床下１１に配索される。また、車両床下１１に沿って略平行に配索される。車両床下１１は、公知のボディであるとともに所謂パネル部材であって、所定位置には貫通孔が形成される。この貫通孔には、ワイヤハーネス９が水密に挿通される。
【００３３】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００３４】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりる。尚、例えばキャパシタのような蓄電装置を使用することも可能である。バッテリー５は、ハイブリッド自動車１や電気自動車に使用可能であれば特に限定されないのは勿論である。
【００３５】
車両床下１１を通って配索される長尺なワイヤハーネス９は、ハーネス本体１５と、このハーネス本体１５の両端、すなわちハーネス端末１３にそれぞれ配設される外部接続手段としてのシールドコネクタ１４とを備えて構成される。また、ワイヤハーネス９は、所定位置に配索するための図示しない複数の固定部材（例えばクランプ等）と、図示しない止水部材（例えばグロメット等）とを備えて構成される。
【００３６】
先ず、上記構成のようなワイヤハーネス９の特徴を概略説明すると、ワイヤハーネス９は、少なくとも車両床下１１に配索される部分で、例えば図１（ｂ）に示すような配索経路に沿った形状に保持することができ、ハーネス端末１３では柔軟性を有して外部の電気的接続相手（インバータユニット４、ジャンクションブロック１２）との接続作業をスムーズに行うことができる。ワイヤハーネス９は、以下の説明で分かるようになるが、導電路に形状保持機能を持たせつつハーネス端末１３では柔軟性を確保したものである。
【００３７】
尚、上記形状保持機能がなく柔らかい場合を考えると、図１（ｂ）に示すような複雑に曲がった形状に作業現場でいちいち配索していくことは非常に困難である。特に長尺になればなるほど困難である。従って、有用な発明になるのは勿論である。
【００３８】
次に、ワイヤハーネス９の上記構成について図２ないし図５を順に参照しながら説明をする。
【００３９】
図２において、ハーネス本体１５は、複数本（本実施例では二本。本数は一例である）の導電路１６と、この複数本の導電路１６を一括して覆うシールド部材１７と、シールド部材１７の外側に設けられる保護部材１８とを備えて構成される。ハーネス本体１５は、導電路１６の構成と、この構成の配置とに特徴がある。
【００４０】
図２及び図３において、導電路１６は、第一導電路１９と、第二導電路２０と、導電路接続部２１とを含んで構成される。導電路１６は、外部の電気的接続相手との接続を行う側に第二導電路２０が配設される。すなわち、ハーネス端末１３の位置に第二導電路２０が配設される。本実施例においては、ワイヤハーネス９がインバータユニット４とジャンクションブロック１２とを接続することから、前端及び後端の両方のハーネス端末１３に第二導電路２０が配設される。導電路１６は、この両端に第二導電路２０が配設され、中間の形状保持が必要な位置には、第一導電路１９が配設される。
【００４１】
尚、第二導電路２０は、ハーネス端末１３以外に配置されても当然によく、例えば搬送時の荷姿に配慮して曲げ位置に配置することも可能である。
【００４２】
第一導電路１９は、導電性の導体２２と、この導体２２を被覆する絶縁性の絶縁体２３とを備えて構成される。第一導電路１９は、配索経路に沿った形状の保持に必要となる範囲分の長さを有して形成される。
【００４３】
導体２２は、銅や銅合金、或いはアルミニウムやアルミニウム合金により製造される。本実施例においては、安価且つ軽量であるというメリットを有するアルミニウム製のものが採用される（一例である）。導体２２の導体構造に関しては、断面円形状の棒線である丸棒（又は断面矩形状の角棒）が採用される。尚、丸棒（又は角棒）は、丸単心（又は平角単心）とも呼ばれる。導体２２は、配索経路に沿った形状保持が可能な剛性を有する。導体２２の剛性は、多少の外力が加わったとしも塑性変形が維持されるような剛性であって、そのため第二導電路２０の後述する導体２４と比較すると硬いものになる。導体２２は、上記棒線以外にバスバーを採用してもよい。
【００４４】
絶縁体２３は、熱可塑性樹脂材料を用いて導体２２の外周面に押出成形することにより断面円形状の被覆として形成される。絶縁体２３は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。
【００４５】
第二導電路２０は、導電性の導体２４と、この導体２４を被覆する絶縁性の絶縁体２５とを備えて構成される。第二導電路２０は、少なくともシールドコネクタ１４の接続作業をスムーズに行うために必要な長さを有して形成される。前端側のハーネス端末１３の第二導電路２０と、後端側のハーネス端末１３の第二導電路２０は、本実施例において異なる長さに形成される。
【００４６】
導体２４は、銅や銅合金、或いはアルミニウムやアルミニウム合金により製造される。本実施例においては、安価且つ軽量であるというメリットを有するアルミニウム製のものが採用される（一例である）。導体２４の導体構造に関しては、素線２６を撚り合わせてなる導体構造（撚り線）が採用される。導体２４は、この断面積が第一導電路１９の導体２２の断面積と合うように素線２６の径や本数等が設定される。導体２４は、第一導電路１９の導体２２よりも低い剛性で柔軟性を有するように形成される。導体２４の柔軟性は、ハーネス端末１３が柔らかくなる程度の柔軟性、別な言い方をすれば作業者への負荷が大きくならない程度の柔軟性である（更に好ましくは、振動が伝達されてもこれを吸収することができるような柔軟性、又は、振動により振れても十分に耐え得る柔軟性である）。
【００４７】
絶縁体２５は、熱可塑性樹脂材料を用いて導体２４の外周面に押出成形することにより断面円形状の被覆として形成される。絶縁体２５は、所定の厚みを有して形成される。絶縁体２５は、第一導電路１９の絶縁体２３と同じ材料で同じ厚みに形成される。
【００４８】
導電路接続部２１は、第一導電路１９と第二導電路２０とを接続する部分であって、このような導電路接続部２１は外側に対し絶縁状態に形成される。以下、導電路接続部２１の内側の具体的な構造例を二つ、図４及び図５を参照しながら説明する。
【００４９】
図４において、第一導電路１９の端末には、導電性の端子金具２７が設けられる。端子金具２７は、加締められて第一導電路１９の導体２２に接続される。端子金具２７は公知のものであり、電気接触部にはボルト挿通孔２８が形成される。一方、第二導電路２０の端末（導体２４）にも上記同様の端子金具２７が設けられる。
【００５０】
第一導電路１９及び第二導電路２０の各端子金具２７同士を重ね合わせ、そして、ボルト挿通孔２８にボルト２９を差し込んでナット３０で締め付け固定すると、電気的な接続が完了する。この後、接続部分の外側に図示しない絶縁部材（テープ巻きや熱収縮チューブで覆う等）を設けると、導電路接続部２１が形成される。
【００５１】
図５において、第一導電路１９の端末で露出する導体２２は、導電性のジョイント端子３１の一端側に接合される。また、第二導電路２０の端末で露出する導体２４もジョイント端子３１の他端側に接合される。接合は、超音波接合などの公知の接合方法が採用される（溶接、溶着、冷間圧接、ポップリベット、半田付け等を含む）。
【００５２】
第一導電路１９及び第二導電路２０の各導体２２、２４がジョイント端子３１にそれぞれ接合されると、電気的な接続が完了する。この後、接合部分の外側に図示しない絶縁部材（テープ巻きや熱収縮チューブで覆う等）を設けると、導電路接続部２１が形成される。
【００５３】
尚、導電路接続部２１は、第一導電路１９と第二導電路２０とを接続できればよく、上記の例に限定されないのは勿論である。
【００５４】
導電路接続部２１により第一導電路１９と第二導電路２０とが接続されると、一本の導電路１６が形成される。
【００５５】
図２及び図３において、シールド部材１７は、ワイヤハーネス９に電磁シールド機能を持たせるために備えられる。シールド部材１７は、導電路１６を二本並べた状態でこれらを一括して覆うことができるような部材に形成される。シールド部材１７は、導電性を有する編組又は金属箔からなる。本実施例においては、編組からなるものが採用される。シールド部材１７としての編組は、極細の素線を編み込んでこれを筒状にすることにより形成される。
【００５６】
尚、上記金属箔を採用した場合は、二本の導電路１６の外側に巻き付けるような形状に形成してもよい。シールド部材１７の端末は、シールドコネクタ１４の後述するシールドシェル３２に接地される。シールド部材１７は、柔軟性を有する。
【００５７】
保護部材１８は、ハーネス本体１５を外部から保護するために備えられる。保護部材１８は、熱収縮チューブや、熱可塑性樹脂材料を用いての押出成形、樹脂製のシート部材の巻き付けなどにより所定の厚みで形成される。保護部材１８は、少なくとも外部に対する保護が必要な範囲に配置形成される。保護部材１８は、図１（ｂ）に示すような複雑に曲がった形状にしても破損等が生じない材質のものが採用される。
【００５８】
図２において、以上のようなハーネス本体１５の端末（ハーネス端末１３）にそれぞれ配設されるシールドコネクタ１４は、導電性の図示しない端子金具と、絶縁性の図示しないハウジングと、導電性のシールドシェル３２と、金属製の加締めリング３３とを備えて構成される。尚、本実施例では、配設位置が前端側のハーネス端末１３になるシールドコネクタ１４は、特許請求の範囲に記載された第一の外部接続手段に相当する。また、配設位置が後端側のハーネス端末１３になるシールドコネクタ１４は、第二の外部接続手段に相当する。
【００５９】
上記端子金具は、導電路１６の端末に設けられる。すなわち、柔軟性を有する第二導電路２０の端末に設けられる。端子金具は、例えば上記ハウジング内に収容保持される。
【００６０】
シールドシェル３２は、ハウジングの外側に設けられる金属製の部材であって、図示しない固定部を有し、この固定部を介してインバータユニット４やジャンクションブロック１２（図１参照）のシールドケース等に組み付けられる。シールドシェル３２は、シールド部材１７の端末が被せられる筒状部分を有する。加締めリング３３は、シールド部材１７の端末をシールドシェル３２の上記筒状部分に接地させるために設けられる。加締めリング３３は、加締めにて固定される。
【００６１】
上記構成及び構造において、ハーネス本体１５を製造した後、ハーネス本体１５の端末（ハーネス端末１３）でシールドコネクタ１４の組み付けを行うと、ワイヤハーネス９の製造が完了する（ワイヤハーネス９の製造工程において、図１（ｂ）に示すような配索経路に沿った形状に曲げる工程は、シールドコネクタ１４の組み付け前又は後のいずれであってもよい）。
【００６２】
以上、図１ないし図５を参照しながら説明してきたように、ワイヤハーネス９によれば、剛性を有する部分で予め配索経路に沿った形状に保持しておくことで、車両床下１１に対するワイヤハーネス９の配索作業をスムーズに行うことができる。また、ハーネス端末１３が柔軟性を有する構造であることから、この柔軟性によってインバータユニット４やジャンクションブロック１２との接続作業をスムーズに行うことができる。従って、作業性の向上を図ることが可能なワイヤハーネス９を提供することができるという効果を奏する。
【００６３】
この他、ワイヤハーネス９によれば、アルミニウム製（又はアルミニウム合金製）の導体２２、２４を採用することから、軽量化を図ることができるという効果を奏する。
【００６４】
尚、上記説明では、前端側のハーネス端末１３と後端側のハーネス端末１３との位置に共に第二導電路２０が配設されるが、この限りではないものとする。すなわち、前端側のハーネス端末１３のみに第二導電路２０が配設されるようなワイヤハーネス９であってもよい（剛性のある第一導電路１９が後端側のハーネス端末１３の位置にまでのびるワイヤハーネス９であってもよい）。この場合、後端側のハーネス端末１３のシールドコネクタ１４が先にジャンクションブロック１２に接続され、そして、後から前端側のハーネス端末１３のシールドコネクタ１４がインバータユニット４に接続されるようになる。後から行われる接続の側で柔軟性が確保されていれば、作業性に支障を来さないのは勿論である。
【００６５】
この他、上記説明ではワイヤハーネス９がインバータユニット４に接続される。インバータユニット４は、エンジン２等からの振動を受けることから、ワイヤハーネス９にとってインバータユニット４は振動伝達源になる。インバータユニット４からの振動がワイヤハーネス９に伝達されると、この振動による不具合が懸念されるが、本発明では第二導電路２０の柔軟性により振動が吸収され、ハーネス全体に振動が伝わらないようにすることができる。すなわち、不具合の発生を防止することができるという効果を奏する。また、耐振性を持たせるための高価な材料で導電路を製造する必要性がないことから、コスト低減に寄与することができるという効果も奏する。
【実施例２】
【００６６】
以下、図面を参照しながら実施例２を説明する。図６は他の例となるワイヤハーネスの配索状態を示す模式図である。また、図７は図６のワイヤハーネスの断面図であり、（ａ）は図６のＣ−Ｃ線断面図、（ｂ）は図６のＤ−Ｄ線断面図である。尚、上記実施例１と基本的に同じ構成部材には同一の符号を付して詳細な説明を省略する。
【００６７】
図６及び図７において、ワイヤハーネス４１は、ハーネス本体１５と、このハーネス本体１５の両端（ハーネス端末１３）にそれぞれ配設されるシールドコネクタ１４と、コルゲートチューブ４２と、複数のクランプ４３と、図示しないグロメットとを備えて構成される。
【００６８】
ハーネス本体１５は、二本の導電路１６と、この二本の導電路１６を一括して覆うシールド部材１７と、シールド部材１７の外側に設けられる保護部材１８とを備えて構成される（実施例２の場合、保護部材１８の設定は任意である）。導電路１６は、第一導電路１９と、第二導電路２０と、導電路接続部２１（図２参照）とを含んで構成される。尚、第一導電路１９と第二導電路２０の配置は実施例１と同じである。
【００６９】
実施例２においては、第二導電路２０を構成する導体２４の材質として銅が採用される（一例である。実施例１と同じアルミニウムでもよい）。
【００７０】
コルゲートチューブ４２は、断面長円形状の樹脂製の蛇腹管として形成される。コルゲートチューブ４２は、ハーネス本体１５の外装部材としての（保護部材としての）機能を有する。コルゲートチューブ４２は、この内部にハーネス本体１５を挿通することができるような大きさに形成される。コルゲートチューブ４２は、公知のコルゲートチューブと同様、様々な方向に曲げが自在に形成される。
【００７１】
コルゲートチューブ４２は、図示の如く形状が一様な蛇腹管であることから、ワイヤハーネス４１の長さ調整があったとしても対応が容易になるという利点を有する（形状が一様でない場合、例えば長さ調整が必要になると金型変更が伴ってコスト面に影響を来してしまう）。
【００７２】
クランプ４３は、コルゲートチューブ４２の蛇腹管形状に合わせて形成される管体取付部４４と、この管体取付部４４に連続する片持ち形状の固定部４５とを有する。固定部４５には、ボルト挿通孔（図示省略）が形成される。ワイヤハーネス４１は、ボルト挿通孔に挿通されたボルト４６を介して車両床下１１等の固定対象４７に取り付け固定される（固定対象４７の形状は一例である）。ワイヤハーネス４１は、固定対象４７に対し取り付け固定されると、図６に示す如く所定の経路配索が完了する。
【００７３】
以上、図６及び図７を参照しながら説明してきたように、実施例２も実施例１と同様の効果を奏することが分かる。すなわち、ワイヤハーネス４１によれば、剛性を有する部分で予め配索経路に沿った形状に保持しておけば、車両床下１１に対するワイヤハーネス４１の配索作業をスムーズに行うことができる。また、ハーネス端末１３が柔軟性を有する構造であることから、この柔軟性によってインバータユニット４やジャンクションブロック１２（図１参照）との接続作業をスムーズに行うことができる。
【実施例３】
【００７４】
以下、図面を参照しながら実施例３を説明する。図８は他の例となるワイヤハーネスの配索状態及び構成を示す模式図である。
【００７５】
図８において、引用符号５１はワイヤハーネスを示す。ワイヤハーネス５１は、低圧の（低電圧用の）ものであって、例えばハイブリッド自動車１における自動車後部７の低圧バッテリー５２と、自動車前部５３に搭載される補器５４（機器）とを電気的に接続するために備えられる。
【００７６】
ワイヤハーネス５１は、本実施例において車両床下１１を通って配索される（一例である。車室側を通って配索されてもよい）。ワイヤハーネス５１は、二本並んだ状態の導電路５５、５５と、これらの各端末に設けられるコネクタ５６、５６と、図示しない複数の固定部材（例えばクランプ等）と、図示しない止水部材（例えばグロメット等）とを備えて構成される。
【００７７】
導電路５５は、第一導電路５７と、第二導電路５８と、導電路接続部５９とを有して一本の状態に形成される。尚、これら構成に係る材質や構造、機能は、実施例１の第一導電路１９と、第二導電路２０と、導電路接続部２１と同じであるものとし、ここでの説明は省略する。導電路５５は、前端のハーネス端末６０の位置に第二導電路５８が配設される。また、その他は第一導電路５７が配設される（前端及び後端のハーネス端末６０の位置に第二導電路５８が配設されてもよい）。
【００７８】
以上、図８を参照しながら説明してきたように、実施例３のワイヤハーネス５１よれば、剛性を有する部分で予め配索経路に沿った形状に保持しておくことで、車両床下１１に対するワイヤハーネス５１の配索作業をスムーズに行うことができる。また、前端のハーネス端末６０が柔軟性を有する構造であることから、この柔軟性によって補器５４との接続作業をスムーズに行うことができる。従って、作業性の向上を図ることが可能なワイヤハーネス５１を提供することができるという効果を奏する。
【００７９】
この他、本発明は本発明の主旨を変えない範囲で種々変更実施可能なことは勿論である。
【符号の説明】
【００８０】
１…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下、  １２…ジャンクションブロック、  １３…ハーネス端末、  １４…シールドコネクタ（外部接続手段）、  １５…ハーネス本体、  １６…導電路、  １７…シールド部材、  １８…保護部材、  １９…第一導電路、  ２０…第二導電路、  ２１…導電路接続部、  ２２、２４…導体、  ２３、２５…絶縁体、  ２６…素線、  ２７…端子金具、  ２８…ボルト挿通孔、  ２９…ボルト、  ３０…ナット、  ３１…ジョイント端子、  ３２…シールドシェル、  ３３…加締めリング、  ４１…ワイヤハーネス、  ４２…コルゲートチューブ、  ４３…クランプ、  ４４…管体取付部、  ４５…固定部、  ４６…ボルト、  ４７…固定対象、  ５１…ワイヤハーネス、  ５２…低圧バッテリー、  ５３…自動車前部、  ５４…補器（機器）、  ５５…導電路、  ５６…コネクタ（外部接続手段）、  ５７…第一導電路、  ５８…第二導電路、  ５９…導電路接続部、  ６０…ハーネス端末
【図１】
2015201284.tif 000003
【図２】
2015201284.tif 000004
【図３】
2015201284.tif 000005
【図４】
2015201284.tif 000006
【図５】
2015201284.tif 000007
【図６】
2015201284.tif 000008
【図７】
2015201284.tif 000009
【図８】
2015201284.tif 000010